(57)【要約】【課題】ポンプが停止して、フート弁の弁体が上がった状態となってしまっても弁体を交換することなく再稼働（吸い上げ）ができる揚水ポンプを提供する。【解決手段】水槽２の上方に設置されたポンプ本体３と、ポンプ本体３に接続されポンプ本体３から水槽２内に延びる吸入配管４と、吸入配管４に設けられポンプ本体３から水槽２への逆流を止めるべく上下に移動可能な弁体１０を有すると共に弁体１０が下方に移動したとき弁体１０を着座させる弁座１１を有するフート弁５とを備えた揚水ポンプ１において、吸入配管４が先端側を下方に屈曲させる屈曲部７を有し、屈曲部７には、吸入配管４の先端側の延長線上で上方に延びる給水管１８が接続され、給水管１８には給水弁１９が設けられると共に、給水弁１９が、開弁時にフート弁５の弁体１０を押し下げるための操作ロッド２０を挿通可能に形成されたものである。【選択図】図１
0003165894.tif 000002
【実用新案登録請求の範囲】
【請求項１】
水槽の上方に設置されたポンプ本体と、該ポンプ本体に接続されポンプ本体から上記水槽内に延びる吸入配管と、該吸入配管に設けられ上記ポンプ本体から上記水槽への逆流を止めるべく上下に移動可能な弁体を有すると共に該弁体が下方に移動したとき弁体を着座させる弁座を有するフート弁とを備えた揚水ポンプにおいて、上記吸入配管が先端側を下方に屈曲させる屈曲部を有し、該屈曲部には、上記吸入配管の先端側の延長線上で上方に延びる給水管が接続され、該給水管には給水弁が設けられると共に、該給水弁が、開弁時に上記フート弁の弁体を押し下げるための操作ロッドを挿通可能に形成されたことを特徴とする揚水ポンプ。
【請求項２】
上記給水弁は上記給水管の中間に設けられ、給水管の上端部には給水ホースを着脱自在に接続するための接続部が形成された請求項１記載の揚水ポンプ。
【請求項３】
上記給水弁が上記ポンプ本体の呼び水位置より高い位置に配置された請求項１又は２記載の揚水ポンプ。
【考案の詳細な説明】
【技術分野】
【０００１】
本考案は、水槽から水を吸い上げる揚水ポンプに関するものである。
【背景技術】
【０００２】
図２（ａ）に示すように、水槽２から水を吸い上げる揚水ポンプ３０の取水側には、フート弁（逆止弁）５が設置されている。図２（ｂ）に示すように、フート弁５は、揚水ポンプ３０を止めた際に弁体１０が自重で閉まるようになっており、揚水ポンプ３０内の水が水槽２に落ちるのを防ぎ、再稼働時の吸い上げを可能にしている。
【先行技術文献】
【特許文献】
【０００３】
【特許文献１】特開平８−１４４９４３号公報
【考案の概要】
【考案が解決しようとする課題】
【０００４】
ところで、図２（ｃ）に示すように、揚水ポンプ３０は長時間の連続稼働を行うと錆やスケールによってフート弁５の弁体１０が上がったままで閉まらなくなり、ポンプ停止時に水が落ちて、ポンプ再稼働時に吸い上げができなくなることがあるという課題があった。このときは弁体の交換が必要となる。
【０００５】
そこで、本考案の目的は、上記課題を解決し、ポンプが停止して、フート弁の弁体が上がった状態となってしまっても弁体を交換することなく再稼働（吸い上げ）ができる揚水ポンプを提供することにある。
【課題を解決するための手段】
【０００６】
上記課題を解決するために本考案は、水槽の上方に設置されたポンプ本体と、該ポンプ本体に接続されポンプ本体から上記水槽内に延びる吸入配管と、該吸入配管に設けられ上記ポンプ本体から上記水槽への逆流を止めるべく上下に移動可能な弁体を有すると共に該弁体が下方に移動したとき弁体を着座させる弁座を有するフート弁とを備えた揚水ポンプにおいて、上記吸入配管が先端側を下方に屈曲させる屈曲部を有し、該屈曲部には、上記吸入配管の先端側の延長線上で上方に延びる給水管が接続され、該給水管には給水弁が設けられると共に、該給水弁が、開弁時に上記フート弁の弁体を押し下げるための操作ロッドを挿通可能に形成されたものである。
【０００７】
上記給水弁は上記給水管の中間に設けられ、給水管の上端部には給水ホースを着脱自在に接続するための接続部が形成されるとよい。
【０００８】
上記給水弁が上記ポンプ本体の呼び水位置より高い位置に配置されるとよい。
【考案の効果】
【０００９】
本考案によれば、ポンプが停止して、フート弁の弁体が上がった状態となってしまっても弁体を交換することなく再稼働（吸い上げ）できる。
【図面の簡単な説明】
【００１０】
【図１】図１は、本考案に係る揚水ポンプの側面図である。
【図２】図２（ａ）は従来の揚水ポンプの側面説明図であり、図２（ｂ）は停止時の揚水ポンプのフート弁の説明図であり、図２（ｃ）は弁体が上がったままで閉まらなくなった揚水ポンプのフート弁の説明図である。
【考案を実施するための形態】
【００１１】
図１に示すように、揚水ポンプ１は、水槽２の上方に設置されたポンプ本体３と、ポンプ本体３に接続されポンプ本体３から水槽２内に延びる吸入配管４と、吸入配管４に設けられポンプ本体３から水槽２への逆流を止めるフート弁５とを備える。
【００１２】
ポンプ本体３は、図示しない駆動装置に接続されており、駆動装置からの駆動力で駆動されるようになっている。
【００１３】
吸入配管４は、ポンプ本体３の側部に接続され水平方向に延びる水平部６と、水平部６の先端に接続され下方に屈曲する屈曲部７と、屈曲部７に接続され下方に直線状に延びる下垂部８とを有する。
【００１４】
フート弁５は、上下に延びる筒状の外殻９と、外殻９内に上下に移動可能に設けられた弁体１０と、外殻９内に設けられ弁体１０が下方に移動したとき着座させて閉弁し弁体１０が上方に移動したとき開弁する弁座１１と、ポンプ駆動時に開弁すべく弁体１０を上方に移動させるための開弁レバー１２とを備える。弁座１１は、外殻９内に、水平に延びる板状の仕切部１３を外殻９内を上下に仕切るように設けると共に、仕切部１３に上下に貫通する通水孔１４を形成してなる。弁体１０は、弁座１１の仕切部１３の上部に上下に回動可能に設けられた支持レバー１５の先端に設けられており、支持レバー１５が上方に回動したとき弁座１１の通水孔１４から離間して開弁し、支持レバー１５が下方に回動したとき弁座１１の通水孔１４を塞いで閉弁するようになっている。開弁レバー１２は、一端を弁座１１の仕切部１３の下部に上下に回動自在に連結されると共に他端を外殻９外に延出されている。開弁レバー１２の他端には、地上に延びるワイヤ１６が接続されており、ワイヤ１６が引かれることで開弁レバー１２が上方に回動するようになっている。また、開弁レバー１２の中央部には上方に延びる上延部１７が形成されている。上延部１７は、ポンプ稼働中に弁体１０が下方に移動したとき弁体１０に干渉してフート弁５が閉じるのを防止するようになっている。
【００１５】
また、屈曲部７には、上方に延びる給水管１８が接続されており、給水管１８の中間部には給水弁１９が設けられている。給水管１８は下垂部８より若干小径に形成されており、下垂部８と同軸上に配置されている。給水弁１９はボールバルブからなり、開弁時にフート弁５の弁体１０を押し下げるための操作ロッド２０を挿通可能に形成されている。給水弁１９は、ポンプ本体３の呼び水位置より高い位置に配置されており、水位が給水弁１９の位置に達したとき揚水ポンプ１を稼働できるようになっている。また、給水管１８の上端部には給水ホース２１を着脱自在に接続するための接続部２２が形成されている。給水ホース２１の端部には、給水管１８の接続部２２に着脱自在に接続される継手部材２３が設けられると共に、バルブ２４が設けられている。
【００１６】
また、揚水ポンプ１には、フート弁５の弁体１０が上がったままになってフート弁５が閉まらなくなったとき弁体１０を押し下げるべく給水管１８からフート弁５内に挿入される操作ロッド２０が備えられる。操作ロッド２０は、挿入方向の先端にフート弁５の弁体１０に当接する当接部２５を有し、挿入方向の後端に給水管１８への挿入深さを規制するためのストッパ部２６を有する。当接部２５は、操作ロッド２０のロッド本体２７に対して交差する方向に延びており、フート弁５内に挿入したとき確実に弁体１０に当接するようになっている。ストッパ部２６は、給水管１８より大径の円盤状に形成されており、給水管１８からフート弁５内に操作ロッド２０を挿入したとき給水管１８に当接して操作ロッド２０の挿入深さを規制するようになっている。
【００１７】
次に本実施の形態の作用を述べる。
【００１８】
水槽２の水を揚水ポンプ１で吸い上げる場合、給水弁１９を閉じた状態で行う。
【００１９】
揚水ポンプ１を長時間使用して、錆やスケールでフート弁５が開いたまま（弁体１０が上がったまま）揚水ポンプ１が停止すると、吸入配管４内の水がフート弁５から流出し、揚水ポンプ１を単に再稼働しても吸い上げができない状態となる。このような状態になったら、給水弁１９を開き、給水管１８からフート弁５内に操作ロッド２０を挿入し、操作ロッド２０で弁体１０を押し下げてフート弁５を強制的に閉じる。具体的には、給水管１８内に操作ロッド２０を挿入すると、操作ロッド２０は開弁した給水弁１９内を通過して吸入配管４の下垂部８に入り、フート弁５内に至る。フート弁５内に挿入した操作ロッド２０を更に下方に押すと、操作ロッド２０の当接部２５がフート弁５の弁体１０を押し下げ、弁体１０が弁座１１上に着座する。
【００２０】
このようにしてフート弁５が閉弁したら、操作ロッド２０を上方に引いて給水管１８から引き抜く。この後、給水管１８の接続部２２に給水ホース２１の継手部２３を接続し、給水ホース２１から給水管１８内に呼び水を入れる。給水管１８内に供給された呼び水は、給水弁１９を経て吸入配管４内に流れる。フート弁５は閉弁しているため、吸入配管４内に流れた呼び水は溜まり、吸入配管４内の水位が上がる。水位が給水弁１９の位置まで上がったら給水ホース２１の端部に設けられたバルブ２４を閉じ、接続部２２から給水ホース２１を取り外す。このとき、給水弁１９はポンプ本体３の呼び水位置より高い位置に配置されているため、ポンプ本体３内には呼び水が充分満たされる。
【００２１】
給水弁１９を閉じ、揚水ポンプ１を稼働させれば、水位はポンプ本体３の呼び水位置まであるので、すぐに揚水が始まる。このようにして揚水が始まったらワイヤ１６を引いて開弁レバー１２を上方に引き上げ、ワイヤ１６を地上の所定の位置に留める。ポンプ運転中にフート弁５を確実に開弁させておくことができる。
【００２２】
このように、吸入配管４の屈曲部７には、吸入配管４の先端側の延長線上で上方に延びる給水管１８が接続され、給水管１８には給水弁１９が設けられると共に、給水弁１９が、開弁時にフート弁５の弁体１０を押し下げるための操作ロッド２０を挿通可能に形成される揚水ポンプ１としたため、揚水ポンプ１が停止して、フート弁５の弁体１０が上がった状態となってしまった場合でも直ちにフート弁５を分解調整する必要がなくなり、設備に設置されている状態でフート弁５の強制的な閉弁が可能となる。また、呼び水を弁位置まで入れることによりすぐに揚水ポンプ１としての機能が復旧でき、弁体１０が自重で閉まらなくなってもすぐに交換する必要がなくなる。
【００２３】
給水弁１９は給水管１８の中間に設けられ、給水管１８の上端部には給水ホース２１を着脱自在に接続するための接続部２２が形成されるものとしたため、給水管１８に呼び水を容易に供給できる。
【００２４】
給水弁１９がポンプ本体３の呼び水位置より高い位置に配置されるものとしたため、確実かつ容易にポンプ本体３内に呼び水を供給できる。
【００２５】
なお、給水管１８は下垂部８と同軸上に配置されるものとしたが、下垂部８の延長線上にあれば必ずしも同軸上でなくともよい。
【００２６】
また、給水弁１９はボールバルブからなるものとしたが、これに限るものではない。下垂部８の延長方向に沿う流路を形成するように開弁するものであれば、バタフライ弁やゲートバルブ等の他のバルブでもよい。
【００２７】
また、給水弁１９をポンプ本体３の呼び水位置より高い位置に配置するものとしたが、これに限るものではない。給水弁１９がポンプ本体３の呼び水位置より低い場合、接続部２２と給水ホース２１の継手部２３が水密に接続されるものにするとよい。水位が給水ホース２１内でポンプ本体３の呼び水位置より高くなった後で給水弁１９を閉じることで揚水ポンプを再稼働できる。
【符号の説明】
【００２８】
１  揚水ポンプ
２  水槽
３  ポンプ本体
４  吸入配管
５  フート弁
１０  弁体
１１  弁座
１８  給水管
１９  給水弁
２０  操作ロッド
２２  接続部
【図１】
0003165894.tif 000003
【図２】
0003165894.tif 000004